(57)【特許請求の範囲】
【請求項１】
建物の開口部に設けられる扉を構成する扉体であって、
当該扉体における前記扉の戸先側の部分のうち、前記開口部よりも前記建物の外側に位置する部分に形成された召し合せ部であって、当該扉体によって前記開口部が閉鎖されている場合に、当該扉体と当該開口部との相互間の隙間を覆うための召し合せ部と、
当該扉体のうち、少なくとも前記建物の外側の一部及び前記召し合せ部の先端側の一部を覆う化粧板であって、当該扉体における前記建物の外側に位置する平面状の側面を有する化粧板と、
前記化粧板の側面のうち、少なくとも前記召し合せ部の先端側に位置する側面であって、前記開口部に設けられる戸先側縦枠に対して見込み方向における屋外側に位置する側面の一部を覆うことができ、且つ、当該召し合せ部よりも前記建物の外側に突出しないように形成されたカバー手段と、
を備えた扉体。
【請求項２】
当該扉体のうち、少なくとも前記召し合せ部に設けられた枠材であって、前記化粧板の内側面のうち、少なくとも当該召し合せ部の先端側に位置する内側面と当接するように配置された枠材を備えた、
請求項１に記載の扉体。
【請求項３】
前記化粧板のうち、少なくとも前記召し合せ部の先端側の一部を、前記カバー手段と前記枠材とで挟持した、
請求項２に記載の扉体。
【請求項４】
前記化粧板が、当該扉体における前記建物の外側に位置する平面状の前記側面と、前記召し合せ部の先端側に位置する平面状の側面と、前記召し合せ部における前記建物の内側に位置する平面状の側面とを有するように、当該化粧板を折り曲げた、
請求項１から３のいずれか一項に記載の扉体。
【請求項５】
当該扉体における前記扉の戸先側の部分のうち、前記カバー手段によって覆われている部分に形成された凹部を備え、
前記カバー手段には、前記凹部に対向するように配置された凸部であって、前記扉の戸尻側に向けて突出した凸部を設け、
前記凸部を、前記凹部に嵌合させた、
請求項１から４のいずれか一項に記載の扉体。
【請求項６】
建物の開口部に設けられる扉を構成する扉体であって、
当該扉体における前記扉の戸先側の部分のうち、前記開口部よりも前記建物の外側に位置する部分に形成された召し合せ部であって、当該扉体によって前記開口部が閉鎖されている場合に、当該扉体と当該開口部との相互間の隙間を覆うための召し合せ部と、
当該扉体のうち、少なくとも前記建物の外側の一部及び前記召し合せ部の先端側の一部を覆う化粧板と、
前記化粧板の側面のうち、少なくとも前記召し合せ部の先端側に位置する側面の一部を覆うことができ、且つ、当該召し合せ部よりも前記建物の外側に突出しないように形成されたカバー手段と、を備え、
当該扉体における前記扉の戸先側の部分のうち、前記カバー手段によって覆われている部分に形成された凹部を備え、
前記カバー手段には、前記凹部に対向するように配置された凸部であって、前記扉の戸尻側に向けて突出した凸部を設け、
前記凸部を、前記凹部に嵌合させ、
前記扉体は、
扉体本体と、
前記扉体本体よりも前記建物の外側に配置されたパネル体と、を備え、
前記パネル体における前記扉の戸先側の部分に、前記召し合せ部と前記凹部を配置した、
扉体。
【発明の詳細な説明】
【技術分野】
【０００１】
本発明は、扉体に関する。
【背景技術】
【０００２】
従来、玄関用の扉として、当該扉の戸先側と建物の開口部との相互間の隙間を覆うための召し合せ部を備えた扉が普及している。このような扉においては、例えば、扉の扉体における建物の外側に設けられた化粧板によって、召し合せ部の先端側が覆われたものが提案されている（例えば、特許文献１の図１参照）。また、扉体における扉の戸先側に設けられた端面板であって、扉体よりも建物の外側に突出したウエブと、ウエブの先端から扉の戸先側に向けて張り出されたフランジとを備えるＬ字状の端面板によって、召し合せ部の先端側が覆われたものが提案されている（例えば、特許文献１の図３（ｃ）参照）。
【先行技術文献】
【特許文献】
【０００３】
【特許文献１】実用新案登録第２５８２７０６号公報
【発明の概要】
【発明が解決しようとする課題】
【０００４】
ここで、上記特許文献１の図１に記載の扉においては、扉体を回動する場合に、召し合せ部の先端側の部分が人や物に当たり易いことから、当該召し合せ部の先端側の部分が最も損傷しやすかった。また、化粧板は、召し合せ部の先端側だけでなく、扉体の一部（実施の形態では、扉体の建物の外側の部分）を覆うものであることから、この化粧板の交換には比較的手間を要していた。しかしながら、上記特許文献１の図１に記載の扉においては、上述した不都合があるにもかかわらず、召し合せ部の先端側の部分が化粧板のみによって覆われていたので、化粧板における召し合せ部の先端側の部分が損傷したことにより、当該損傷を修理する場合には、化粧板の損傷部分のみを交換することができないため、化粧板全体を交換することにより修理しなければならかった。よって、このような損傷の修理に要する手間が多大となるという問題があった。
【０００５】
一方、上記特許文献１の図３（ｃ）に記載の扉においては、上述したように、召し合せ部を覆う端面板であって、化粧板と異なる部材である端面板が召し合せ部よりも建物の外側に露出していたので、当該端面板が化粧板と質感（材質、色等）が異なる場合には、化粧板との意匠の統一性を図ることが難しくなることから、扉の意匠性を低下させるという問題があった。
【０００６】
本発明は、上記従来技術における課題を解決するためのものであって、召し合せ部の損傷に関する修理に要する手間を低減することができると共に、扉の意匠性を維持することが可能になる、扉体を提供することを目的とする。
【課題を解決するための手段】
【０００７】
上述した課題を解決し、目的を達成するために、請求項１に記載の扉体は、建物の開口部に設けられる扉を構成する扉体であって、当該扉体における前記扉の戸先側の部分のうち、前記開口部よりも前記建物の外側に位置する部分に形成された召し合せ部であって、当該扉体によって前記開口部が閉鎖されている場合に、当該扉体と当該開口部との相互間の隙間を覆うための召し合せ部と、当該扉体のうち、少なくとも前記建物の外側の一部及び前記召し合せ部の先端側の一部を覆う化粧板であって、当該扉体における前記建物の外側に位置する平面状の側面を有する化粧板と、前記化粧板の側面のうち、少なくとも前記召し合せ部の先端側に位置する側面であって、前記開口部に設けられる戸先側縦枠に対して見込み方向における屋外側に位置する側面の一部を覆うことができ、且つ、当該召し合せ部よりも前記建物の外側に突出しないように形成されたカバー手段と、を備えている。
【０００８】
請求項２に記載の扉体は、請求項１に記載の扉体において、当該扉体のうち、少なくとも前記召し合せ部に設けられた枠材であって、前記化粧板の内側面のうち、少なくとも当該召し合せ部の先端側に位置する内側面と当接するように配置された枠材を備えた。
【０００９】
請求項３に記載の扉体は、請求項２に記載の扉体において、前記化粧板のうち、少なくとも前記召し合せ部の先端側の一部を、前記カバー手段と前記枠材とで挟持した。
【００１０】
請求項４に記載の扉体は、請求項１から３のいずれか一項に記載の扉体において、前記化粧板が、当該扉体における前記建物の外側に位置する平面状の前記側面と、前記召し合せ部の先端側に位置する平面状の側面と、前記召し合せ部における前記建物の内側に位置する平面状の側面とを有するように、当該化粧板を折り曲げた。
【００１１】
請求項５に記載の扉体は、請求項１から４のいずれか一項に記載の扉体において、当該扉体における前記扉の戸先側の部分のうち、前記カバー手段によって覆われている部分に形成された凹部を備え、前記カバー手段には、前記凹部に対向するように配置された凸部であって、前記扉の戸尻側に向けて突出した凸部を設け、前記凸部を、前記凹部に嵌合させた。
【００１２】
請求項６に記載の扉体は、建物の開口部に設けられる扉を構成する扉体であって、当該扉体における前記扉の戸先側の部分のうち、前記開口部よりも前記建物の外側に位置する部分に形成された召し合せ部であって、当該扉体によって前記開口部が閉鎖されている場合に、当該扉体と当該開口部との相互間の隙間を覆うための召し合せ部と、当該扉体のうち、少なくとも前記建物の外側の一部及び前記召し合せ部の先端側の一部を覆う化粧板と、前記化粧板の側面のうち、少なくとも前記召し合せ部の先端側に位置する側面の一部を覆うことができ、且つ、当該召し合せ部よりも前記建物の外側に突出しないように形成されたカバー手段と、を備え、当該扉体における前記扉の戸先側の部分のうち、前記カバー手段によって覆われている部分に形成された凹部を備え、前記カバー手段には、前記凹部に対向するように配置された凸部であって、前記扉の戸尻側に向けて突出した凸部を設け、前記凸部を、前記凹部に嵌合させ、前記扉体は、扉体本体と、前記扉体本体よりも前記建物の外側に配置されたパネル体と、を備え、前記パネル体における前記扉の戸先側の部分に、前記召し合せ部と前記凹部を配置して構成されている。
【発明の効果】
【００１３】
請求項１に記載の扉体によれば、当該扉体のうち、少なくとも建物の外側の一部及び召し合せ部の先端側の一部を覆う化粧板と、化粧板の側面のうち、少なくとも召し合せ部の先端側に位置する側面の一部を覆うことができ、且つ、当該召し合せ部よりも建物の外側に突出しないように形成されたカバー手段とを備えたので、召し合せ部の先端側の部分が化粧板に覆われることに加えて、さらに化粧板がカバー手段によって覆われることになるため、この召し合せ部の先端側の部分が人や物に接触した場合には、カバー手段が化粧板よりも先に損傷することになる。よって、例えば、化粧板が健全な状態であるものの、カバー手段のみが損傷している場合には、化粧板を交換することなく、カバー手段を交換するだけで当該損傷の修理を行うことができるので、召し合せ部の先端側の部分が化粧板のみによって覆われている場合に比べて、召し合せ部の損傷に関する修理に要する手間を低減することが可能となる。また、扉体を全閉位置に位置させた状態において、カバー手段が召し合せ部よりも建物の外側に突出しないので、カバー手段の建物の外側への露出を抑えることでき、扉の意匠性を維持することが可能となる。
【００１４】
請求項２に記載の扉体によれば、当該扉体のうち、少なくとも召し合せ部に設けられた枠材であって、化粧板の内側面のうち、少なくとも当該召し合せ部の先端側に位置する内側面と当接するように配置された枠材を備えたので、この枠材によって、化粧板の強度を向上させることができるため、扉体の耐久性を向上させることが可能となる。
【００１５】
請求項３に記載の扉体によれば、化粧板のうち、少なくとも召し合せ部の先端側の一部を、カバー手段と枠材とで挟持したので、化粧板のうち、少なくとも召し合せ部の先端側の一部が枠材から剥がれることを低減でき、扉体の耐久性を一層向上させることが可能となる。
【００１６】
請求項４に記載の扉体によれば、化粧板が、当該扉体における建物の外側に位置する平面状の側面と、召し合せ部の先端側に位置する平面状の側面と、召し合せ部における建物の内側に位置する平面状の側面とを有するように、当該化粧板を折り曲げたので、例えば、化粧板が、当該扉体における建物の外側に位置する平面状の側面と、召し合せ部における建物の内側に位置する平面状の側面とのみを有するように、当該化粧板が１８０度で折り曲げられた場合と比べて、化粧板の折り曲げ角度を低くすることができる。よって、化粧板を１８０度で折り曲げた場合と比べて、化粧板の塗膜の耐久性を向上させることができる。
【００１７】
請求項５に記載の扉体によれば、カバー手段に設けられた凸部を、当該扉体における扉の戸先側の部分に形成された凹部に嵌合させたので、取付具等の他の部材を用いることなく、カバー手段を設置対象に対して簡易に取り付けることができるので、カバー手段の設置性を向上させることが可能となる。
【００１８】
請求項６に記載の扉体によれば、当該扉体のうち、少なくとも建物の外側の一部及び召し合せ部の先端側の一部を覆う化粧板と、化粧板の側面のうち、少なくとも召し合せ部の先端側に位置する側面の一部を覆うことができ、且つ、当該召し合せ部よりも建物の外側に突出しないように形成されたカバー手段とを備えたので、召し合せ部の先端側の部分が化粧板に覆われることに加えて、さらに化粧板がカバー手段によって覆われることになるため、この召し合せ部の先端側の部分が人や物に接触した場合には、カバー手段が化粧板よりも先に損傷することになる。よって、例えば、化粧板が健全な状態であるものの、カバー手段のみが損傷している場合には、化粧板を交換することなく、カバー手段を交換するだけで当該損傷の修理を行うことができるので、召し合せ部の先端側の部分が化粧板のみによって覆われている場合に比べて、召し合せ部の損傷に関する修理に要する手間を低減することが可能となる。また、扉体を全閉位置に位置させた状態において、カバー手段が召し合せ部よりも建物の外側に突出しないので、カバー手段の建物の外側への露出を抑えることでき、扉の意匠性を維持することが可能となる。
また、カバー手段に設けられた凸部を、当該扉体における扉の戸先側の部分に形成された凹部に嵌合させたので、取付具等の他の部材を用いることなく、カバー手段を設置対象に対して簡易に取り付けることができるので、カバー手段の設置性を向上させることが可能となる。
また、扉体は、扉体本体と、扉体本体よりも建物の外側に配置されたパネル体と、を備え、パネル体における扉の戸先側の部分に、召し合せ部と凹部を配置したので、これら召し合せ部及び凹部をパネル体に集約することができるので、例えば、パネル体に召し合せ部を配置し、扉体本体に凹部を配置した場合に比べて、扉体の製造性を向上させることが可能となる。
【図面の簡単な説明】
【００１９】
【図１】本発明の実施の形態に係る扉の正面図である。
【図２】図１の扉の背面図である。
【図３】図１の扉のＡ−Ａ矢視断面図である。
【図４】図３のＢ領域の拡大図である。
【図５】扉体本体、戸先側パネル体、及び保護カバーの詳細を示す図である。
【図６】保護カバーを示す図であり、（ａ）は背面図、（ｂ）は平面図、（ｃ）は側面図である。
【発明を実施するための形態】
【００２０】
以下に添付図面を参照して、この発明に係る扉体の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２１】
〔I〕実施の形態の基本的概念
まず、実施の形態の基本的概念について説明する。実施の形態は、概略的に、建物の開口部に設けられる扉を構成する扉体に関するものである。
【００２２】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において窓や入り口を設置するために形成された開口部である。また、「扉」（ドア）は、建物の開口部の出入り又は視界を抑制又は制限するための構造体を意味する。この扉の取り付け位置や用途は任意であるが、例えば玄関に設置される「玄関扉」、勝手口や通用口に設置される「勝手口扉」、あるいは建物内部に設置されるための「室内扉」を含む。また、この扉の開閉構造は任意であり、例えば、片開式の開き戸や両開式の開き戸（いわゆる親子扉）等の「開き戸」や「引き戸」として構成することができる。また、「丁番」とは、扉体を回動自在に軸支するためのものである。以下、実施の形態では、扉が、戸建て住宅の如き建物の玄関に配置された片開式の開き戸である場合について説明する。
【００２３】
〔II〕実施の形態の具体的内容
次に、実施の形態の具体的内容について説明する。
【００２４】
（構成）
初めに、実施の形態に係る扉の構成について説明する。図１は、本発明の実施の形態に係る扉の正面図である。図２は、図１の扉の背面図である。図３は、図１の扉のＡ−Ａ矢視断面図である。なお、以下の説明では、図１のＸ方向を扉の左右方向（−Ｘ方向を扉の左方向、＋Ｘ方向を扉の右方向）、図１の紙面に対して直交する方向（Ｙ方向）を扉の前後方向（紙面から手前側に至る方向（＋Ｙ方向）を扉の前方向（建物の外側の方向）、紙面から奥側に至る方向（−Ｙ方向）を扉の後方向（建物の内側の方向）、図１のＺ方向を扉の上下方向（＋Ｚ方向を扉の上方向、−Ｚ方向を扉の下方向）と称する。
【００２５】
図１から図３に示すように、扉１は、概略的に、枠体１０と、枠化粧材１６、１７、１８、扉体２０とを備えて構成されている。ただし、扉１に関する特記しない構成については、従来と同様であるものとして説明を省略する。
枠化粧材
【００２６】
（構成−枠体）
枠体１０は、建物の躯体２に形成された開口部３の周縁に設置されるものであり、左右一対の縦枠１１、１２、及び上下一対の横枠１３、１４を備える。これら縦枠１１、１２、及び横枠１３、１４は、それぞれ開口部３の周縁における建物の躯体２に公知の方法で直接的に固定され、相互に組み合わせられて、全体として正面矩形環状の枠を構成する。以下では、必要に応じて、縦枠１１、１２のうち、扉１の戸先側（扉１の左右のうち、後述する丁番５０から遠い側であり、実施の形態においては左側）の縦枠１１を「戸先側縦枠１１」と称し、扉１の戸尻側（扉体２０の左右のうち、丁番５０に近い側であり、実施の形態においては右側）の縦枠１２を「戸尻側縦枠１２」と称する。また、横枠１３、１４のうち、上側の横枠１３を「上側横枠１３」と称し、下側の横枠１４を「下側横枠１４」と称する。
【００２７】
ここで、戸先側縦枠１１には、デッドボルト受けと、ラッチ受けとが設けられている（いずれも図示省略）。デッドボルト受けは、扉体２０を全閉位置（実施の形態においては図１に示す位置）に位置させた状態において、扉体２０に設けられた後述する公知のデッドボルトを受けるためのデッドボルト受容手段であり、後述するデッドボルトと対応する位置に配置されている。ラッチ受けは、扉体２０に設けられた後述するラッチを受けるためのラッチ受容手段であり、ラッチと対応する位置に配置されている。
【００２８】
また、戸先側縦枠１１及び戸尻側縦枠１２の各々には、戸当たり部１５が設けられている。戸当たり部１５は、扉体２０の回動を制限するためのものである。この戸当たり部１５は、戸先側縦枠１１又は戸尻側縦枠１２の全長（又は全長よりも若干短い長さ）にわたって形成されており、開口部３よりも建物の内側に配置されると共に、扉体２０を全閉位置に位置させた状態において当該扉体２０と当接するように配置されている。
【００２９】
（構成−枠化粧材）
枠化粧材１６、１７、１８、は、枠体１０の外側に露出している側面を覆うためのものである。具体的には、枠化粧材１６は戸先側縦枠１１の外側に露出している側面の一部を覆うように設置され、枠化粧材１７は戸尻側縦枠１２の外側に露出している側面の一部を覆うように設置され、枠化粧材１８は上側横枠１３の外側に露出している側面の一部を覆うように設置されており、それぞれ躯体２に対してネジ等の固定具によって固定されている。以下では、必要に応じて、枠化粧材１６、１７、１８、のうち、枠化粧材１６を「戸先側枠化粧材１６」と称し、枠化粧材１７を「戸尻側枠化粧材１７」と称し、枠化粧材１８を「上側枠化粧材１８」と称する。
【００３０】
（構成−扉体）
扉体２０は、建物の開口部３を開閉するための平板状の開閉体である。図３に示すように、扉体２０は、扉体本体３０と、パネル体４０ａ、４０ｂと、丁番５０とを備えている。
【００３１】
（構成−扉体−扉体本体）
扉体本体３０は、扉体２０の基本構造体であり、扉枠３１、化粧板３２、３３、及び断熱材３４を備える。
【００３２】
（構成−扉体−扉体本体−扉枠）
扉枠３１は、扉体本体３０の剛性を主として担うものである。この扉枠３１は、複数のスチール製の枠材３１ｃを組み合わせることによって、正面形状が矩形環状となるように形成されている。また、これら複数の枠材３１ｃは、左右一対の縦枠材３１ａ、３１ｂ、及び上下一対の横枠材（図示省略）から構成されている。このうち、左右一対の縦枠材３１ａ、３１ｂは、長手方向の長さが相互に略同一となるように形成されており、上下方向に略沿うように配置されている。また、上下一対の横枠材は、長手方向の長さが相互に略同一となるように形成されており、左右方向に略沿うように配置されている。以下では、必要に応じて、縦枠材３１ａ、３１ｂのうち、扉１の戸先側の縦枠材３１ａを「戸先側縦枠材３１ａ」と称し、扉１の戸尻側の縦枠材３１ｂを「戸尻側縦枠材３１ｂ」と称する。なお、これら縦枠材３１ａ、３１ｂ及び横枠材を特に区別する必要のないときは、単に「枠材３１ｃ」と総称する。
【００３３】
また、この扉体本体３０には、扉窓３１ｆが設けられている。扉窓３１ｆは、扉１の意匠性や採光性を高めるための窓である。この扉窓３１ｆは、扉体本体３０に形成された開口部３１ｈに複層ガラス３１ｇを固定されており、より具体的には、扉体本体３０の左右及び上下の中央位置に形成された開口部３１ｈであって、正面形状が縦長矩形状である開口部３１ｈの周縁に設けられた扉窓枠３１ｉに対して、複層ガラス３１ｇが固定具を介して固定されている。この扉窓枠３１ｉの材質は任意であるが、軽量で加工性及び意匠性に優れた材質であることが好ましく、例えば、スチール材が採用されている。
【００３４】
（構成−扉体−扉体本体−化粧板）
化粧板３２、３３は、扉枠３１及び断熱材３４を覆うためのものである。これら化粧板３２、３３は、扉体本体３０のうち、少なくとも建物の外側の一部（実施の形態では、扉枠３１及び断熱材３４の周囲）を覆うように、扉枠３１に取り付けられており、より具体的には、扉枠３１及び断熱材３４を建物の内側及び建物の外側から挟むように配置され、扉枠３１及び断熱材３４に対して接着剤等によって固定されている。以下では、必要に応じて、化粧板３２、３３のうち、建物の内側に配置された化粧板３２を「屋内側化粧板３２」と称し、建物の外側に配置された化粧板３３を「屋外側化粧板３３」と称する。
【００３５】
（構成−扉体−扉体本体−断熱材）
断熱材３４は、熱エネルギーの移動を遮断するためのものである。この断熱材３４は、例えば公知の断熱材（例えばフェノール樹脂発泡材等）を用いて構成されており、扉枠３１の内部に充填されている。
【００３６】
（構成−扉体−扉体本体−その他の構成）
また、扉体本体３０における扉１の戸先側には、把手３５、ラッチ（図示省略）、及び施錠装置（図示省略）が設けられている。このうち、把手３５は、ユーザが扉体２０の開閉操作を行うためのものであり、扉体本体３０の建物の外側の側面及び建物の内側の側面における相互に対応する位置に配置されている。また、ラッチは、施錠装置による施錠の有無に関わらず、扉体２０を全閉位置に維持するためのものである。このラッチは、扉体本体３０の内部に設けられた連動機構（図示省略）を介して把手３５と連結されており、ユーザによる把手３５の操作に連動して、ラッチを扉体本体３０における扉１の戸先側の側面から出し入れすることができる。これにより、扉体２０を全閉位置に位置させた状態において、このラッチを戸先側縦枠１１に設けられたラッチ受け（図示省略）に係止させることにより、扉体２０を全閉位置に維持することができる。また、施錠装置は、扉体２０を施錠するための装置である。この施錠装置は、デッドボルト（図示省略）を備えて構成されており、より具体的には、ユーザが扉体本体３０の前方から鍵操作を行うことにより、デッドボルトを扉体本体３０における扉１の戸先側の側面から出し入れすることができ、扉体２０を全閉位置に位置させた状態において、このデッドボルトを戸先側縦枠１１に設けられたデッドボルト受け（図示省略）に係止させることで、扉体２０を施錠することができる。
【００３７】
また、扉体本体３０の上側には、ドアクローザ３６が設けられている。ドアクローザ３６は、扉体２０が開かれた場合に、この扉体２０を安全な速度で自動的に閉じるためのものであると共に、扉体２０の回動状態が扉体２０の全開位置（例えば、扉体２０が、当該扉体２０の全閉位置から建物の外側に向けて９０度程度開かれた状態となる位置）以上に開かれた状態になることを規制するためのものである。このドアクローザ３６は、当該ドアクローザ３６のアーム部（図示省略）を前後方向に向けて回転させることができ、扉体２０を全開位置に位置させた状態で、扉体２０が開けられる際の力を復元力として利用しながら、当該ドアクローザ３６のダンパ部（図示省略）によって急激な戻りを抑制することができる。
【００３８】
（構成−扉体−パネル体）
パネル体４０ａ、４０ｂは、扉体２０の意匠性（特に、扉体２０の建物の外側の意匠性）や耐火性を高めるために、扉体本体３０の少なくとも一部（ただし、扉体本体３０の扉窓３１ｆを除く）を覆うためのパネルである。これらパネル体４０ａ、４０ｂは、扉体本体３０よりも建物の外側に配置されていると共に（具体的には、扉体本体３０の屋外側化粧板３３と当接するように配置され）、相互に間隔を隔てて左右方向に沿って並設配置されている。以下では、必要に応じて、パネル体４０ａ、４０ｂのうち、扉１の戸先側に配置されたパネル体４０ａを「戸先側パネル体４０ａ」と称し、扉１の戸尻側に配置されたパネル体４０ｂを「戸尻側パネル体４０ｂ」と称する。
【００３９】
（構成−扉体−パネル体−戸先側パネル体）
戸先側パネル体４０ａは、扉体本体３０における戸先側を覆うためのものである。この戸先側パネル体４０ａは、化粧板４３、４４と、コア４５とを備えている。
【００４０】
化粧板４３、４４は、屋内側と屋外側から相互に対向するように配置されることで、中空箱状体を構成する。化粧板４３は、戸先側パネル体４０ａの屋外側に設置され、化粧板４４は、戸先側パネル体４０ａの屋内側に設置されている。以下では、必要に応じて、化粧板４３、４４のうち、化粧板４３を「屋外側化粧板４３」と称し、化粧板４４を「屋内側化粧板４４」と称する。屋内側化粧板４４は、扉体本体３０の屋外側化粧板３３に対してリベット等によって固定されている。また、この屋内側化粧板４４に対してコア４５が接着剤によって接続され、さらにこれら屋内側化粧板４４及びコア４５に対して屋外側化粧板４３が接着剤によって接続されている。
【００４１】
コア４５は、パネル体４０ａ、４０ｂの心材である。このコア４５は、正面形状が矩形状となるように形成されており、化粧板４３、４４によって囲繞された空間内に充填されている（ただし、化粧板４３、４４によって囲繞された空間のうち、後述する枠材７０が収容される部分には充填されないものとする）。また、このコア４５の具体的な構造や材質は任意であるが、例えば、比較的軽量で、且つ高い剛性を有するハニカムコアにて形成されている。
【００４２】
（構成−扉体−パネル体−戸尻側パネル体）
戸尻側パネル体４０ｂは、扉体本体３０における戸尻側を覆うためのものである。この戸尻側パネル体４０ｂは、戸先側パネル体４０ａと略同一に構成されており、屋内側と屋外側から相互に対向するように配置されることで、中空箱状体を構成する化粧板４３、４４と、これら化粧板４３、４４によって囲繞された空間内に充填されたコア４５とを備えている。
【００４３】
（構成−扉体−丁番）
丁番５０は、扉体２０を戸尻側縦枠１２に対して開動自在に軸支するためのものである。この丁番５０は、扉体２０の扉体本体３０における扉１の戸尻側の端部において、相互に間隔を隔てて上下方向に沿って複数並設されている。また、この丁番５０は、公知の旗丁番と同様に構成されており、具体的には、円筒状の上軸受と、上軸受に差し込み自在な棒状の下軸と、上軸受に接続された上支持片と、下軸に接続された下支持片とを備えている（いずれも図示省略）。そして、下軸が上軸受に差し込まれた状態において、上支持片が、扉体本体３０の屋内側化粧板３２又は屋外側化粧板３３に形成された挿通孔（図示省略）を介して、戸尻側縦枠材３１ｂに対して取付ネジ等の固定具により固定されていると共に、下支持片が、戸尻側縦枠１２に対して取付ネジ等の固定具により固定されている。
【００４４】
（構成−召し合せ部）
次に、召し合せ部４１について説明する。図４は、図３のＢ領域の拡大図である。図３、図４に示すように、扉１の意匠性及び防犯性の観点から、扉体２０を全閉位置に位置させた状態において、扉体２０の扉１の戸先側と当該開口部３との相互間の隙間が建物の外側から見えないようにするため、扉体２０は召し合せ部４１を備えている。この召し合せ部４１は、扉体２０によって開口部３が閉鎖されている場合に、当該扉体２０と当該開口部３との相互間の隙間を覆うものである。具体的には、召し合せ部４１は、戸先側パネル体４０ａの空間部の一部として構成されており、戸先側パネル体４０ａにおける扉１の戸先側の部分のうち、開口部３よりも建物の外側に位置する部分において、戸先側縦枠１１に向けて突出するように配置されている（ただし、召し合せ部４１は、隣接する躯体２や戸先側縦枠材３１ａと干渉しない程度に突出するように配置されている）。
【００４５】
（構成−召し合せ部−化粧板）
この召し合せ部４１のうち、少なくとも建物の外側の一部及び先端側の一部（実施の形態では、建物の外側の全部、先端側の全部、及び建物の内側の全部）は、屋外側化粧板４３によって覆われている。すなわち、上述したように、戸先側パネル体４０ａには、屋外側化粧板４３が設けられており、この屋外側化粧板４３によって、戸先側パネル体４０ａの外側の全部が覆われているが、さらにこの屋外側化粧板４３における戸先側の先端部分が戸先側縦枠１１に向けて突出しており、この突出部分によって、召し合せ部４１の先端側の全部と建物の内側の全部とが覆われている。
【００４６】
このように召し合せ部４１を覆う屋外側化粧板４３は、従来のように屋外側化粧板４３を１８０度で折り曲げた場合と比べて、屋外側化粧板４３の塗膜の耐久性を向上させることができるように形成されている。具体的には、図４、図５に示すように、屋外側化粧板４３が、当該屋外側化粧板４３の側面のうち召し合せ部４１の建物の外側に位置する平面状の側面４３ａ（以下、「第１側面４３ａ」と称する）と、当該屋外側化粧板４３の側面のうち召し合せ部４１における先端側に位置する平面状の側面４３ｂ（以下、「第２側面４３ｂ」と称する）と、当該屋外側化粧板４３の側面のうち召し合せ部４１よりも建物の内側に位置する平面状の側面４３ｃ（以下、「第３側面４３ｃ」と称する）とを有するように、当該屋外側化粧板４３が折り曲げられている。より具体的には、第１側面４３ａと第２側面４３ｂとの内角、及び第２側面４３ｂと第３側面４３ｃとの内角が、それぞれ略直角になるように折り曲げられることで、屋外側化粧板４３の折り曲げられた部分における水平断面による断面形状が略Ｊ字状となっている。換言すれば、このような屋外側化粧板４３の折り曲げが可能となるように、召し合せ部４１の形状が設定されている。具体的には、召し合せ部４１における先端側の部分の前後方向の長さＬ１を屋外側化粧板４３の厚さの２倍を十分に超える長さに設定することにより、上述した屋外側化粧板４３の折り曲げが可能となる。
【００４７】
このような構成により、屋外側化粧板４３が第１側面４３ａ及び第３側面４３ｃのみを有するように、当該屋外側化粧板４３が１８０度で折り曲げられた場合と比べて、屋外側化粧板４３の塗膜の耐久性を向上させることができるように形成されている。
【００４８】
（構成−召し合せ部−保護カバー）
また、少なくとも召し合せ部４１の先端側の一部が屋外側化粧板４３のみによって覆われている場合において、当該屋外側化粧板４３における召し合せ部４１の先端側の部分が損傷したことにより、当該損傷を修理する場合には、屋外側化粧板４３の損傷部分のみを交換することができないため、屋外側化粧板４３全体を交換することにより修理しければならない。よって、この修理に要する手間が多大になる可能性があった。
【００４９】
そこで、このような問題を解消できるように、実施の形態では、扉体２０が保護カバー６０を備えている。図５は、扉体本体３０、戸先側パネル体４０ａ、及び保護カバー６０の詳細を示す図である。図６は、保護カバー６０を示す図であり、（ａ）は背面図、（ｂ）は平面図、（ｃ）は側面図である。保護カバー６０は、扉体２０の戸先側を保護するためのカバー手段である。図４から図６に示すように、この保護カバー６０は、戸先側縦枠１１と間隔を隔てて、扉体本体３０の屋外側化粧板３３、屋内側化粧板３２、及び、戸先側パネル体４０ａの屋外側化粧板４３と当接するように配置されている。また、この保護カバー６０は、当該保護カバー６０によって、扉体本体３０の屋内側化粧板３２、屋外側化粧板３３、及び、戸先側パネル体４０ａの屋外側化粧板４３の側面のうち、少なくとも召し合せ部４１の先端側に位置する側面の一部を覆うことができ、且つ、当該召し合せ部４１よりも建物の外側に突出しないように形成されている。具体的には、この保護カバー６０は、第１側片６１と、第２側片６２と、第３側片６３とから、水平断面による断面形状が略Ｎ字状となるように形成されていると共に、扉体本体３０の上下方向の全長（又は全長よりも若干短い長さ）にわたって形成されている。
【００５０】
ここで、保護カバー６０の各部のうち、第１側片６１は、当該第１側片６１の幅が召し合せ部４１における先端側の部分の前後方向の長さＬ１よりも短くなるように形成されており、当該第１側片６１が戸先側パネル体４０ａよりも建物の外側に突出することなく、且つ、屋外側化粧板４３の第２側面４３ｂと当接するように配置されている。また、第２側片６２は、当該第２側片６２の幅が召し合せ部４１における建物の内側の部分の左右方向の長さＬ２と略同一の長さとなるように形成されており、屋外側化粧板４３の第３側面４３ｃと当接するように配置されている。また、第３側片６３は、当該第３側片６３の幅が召し合せ部４１における建物の内側の端部から扉体本体３０における建物の内側の端部に至る長さＬ３と略同一の長さとなるように形成されており、扉体本体３０の屋外側化粧板３３（又は屋内側化粧板３２）の側面のうち扉１の戸先側に位置する側面と当接するように配置されている。さらに、この第３側片６３には、複数の挿通孔６４と、第１開口部６５と、第２開口部６６とが形成されている。このうち、複数の挿通孔６４は、保護カバー６０を扉体本体３０の戸先側縦枠材３１ａに取り付けるための皿ネジ１０３を挿通するための貫通孔であり、所定の間隔を隔てて上下方向に沿って並設配置されている。また、第１開口部６５は、ラッチを扉体本体３０における扉１の戸先側の側面から出し入れするための開口であり、当該ラッチと対向する位置に配置されている。また、第２開口部６６は、施錠装置のデッドボルトを扉体本体３０における扉１の戸先側の側面から出し入れするための開口であり、デッドボルトと対向する位置に配置されている。
【００５１】
このように構成された保護カバー６０の各部は任意の方法や材質で製造することができるが、例えば、保護カバー６０に人や物等が衝突した場合に、屋外側化粧板４３における保護カバー６０で覆われている部分に損傷が生じることを抑制することが可能な厚さや剛性を有するように、アルミニウムの押出成形により製造することができる。なお、複数の挿通孔６４、第１開口部６５、及び第２開口部６６は、この押出成形の後に、打ち抜き形成される。
【００５２】
以上のような保護カバー６０の構成により、召し合せ部４１の先端側の部分が屋外側化粧板４３に覆われることに加えて、さらに屋外側化粧板４３が保護カバー６０によって覆われることになるため、この召し合せ部４１の先端側の部分が人や物に接触した場合には、保護カバー６０が屋外側化粧板４３よりも先に損傷することになる。よって、例えば、屋外側化粧板４３が健全な状態であるものの、保護カバー６０のみが損傷している場合には、屋外側化粧板４３を交換することなく、保護カバー６０を交換するだけで当該損傷の修理を行うことができるので、召し合せ部４１の先端側の部分が屋外側化粧板４３のみによって覆われている場合に比べて、召し合せ部４１の損傷に関する修理に要する手間を低減すること可能となる。また、扉体２０を全閉位置に位置させた状態において、保護カバー６０が召し合せ部４１よりも建物の外側に突出しないので、保護カバー６０の建物の外側への露出を抑えることでき、扉１の意匠性を維持することが可能となる。
【００５３】
（構成−召し合せ部−枠材）
また、図４、図５に示すように、召し合せ部４１が屋外側化粧板４３によって覆われているものの、この屋外側化粧板４３の強度は比較的低いことから、当該屋外側化粧板４３に人や物とが衝突すると、当該屋外側化粧板４３が容易に変形してしまう可能性がある。そこで、このような問題を解消するために、実施の形態では、戸先側パネル体４０ａが枠材７０を備えている。この枠材７０は、屋外側化粧板４３を補強するためのものであり、第１枠部８０と、第２枠部９０とを備えている。
【００５４】
（構成−召し合せ部−枠材−第１枠部）
第１枠部８０は、屋外側化粧板４３のうち、召し合せ部４１を覆っている部分を補強するためのものである。図４、図５に示すように、この第１枠部８０は、召し合せ部４１に設けられており、屋外側化粧板４３の内側面のうち、少なくとも召し合せ部４１の先端側に位置する内側面（すなわち、少なくとも第１側面４３ａの内側面）と当接するように配置され、当該屋外側化粧板４３に対して接着剤により固定されている。また、この第１枠部８０は、当該第１枠部８０が、屋外側化粧板４３の側面のうち、少なくとも第１側面４３ａの内側面に略沿うように、第１側片８１と、第２側片８２と、第３側片８３とから、水平断面による断面形状が略Ｊ字状となるように形成されていると共に、屋外側化粧板４３の上下方向の全長（又は全長よりも若干短い長さ）にわたって形成されている。
【００５５】
ここで、第１枠部８０の各部のうち、第１側片８１は、当該第１側片８１の幅が屋外側化粧板４３の第１側面４３ａの幅と略同一となるように形成されており、当該第１側面４３ａの内側面と当接するように配置されている。また、第２側片８２は、当該第２側片８２の幅が屋外側化粧板４３の第２側面４３ｂの幅と略同一となるように形成されており、当該第２側片８２及び保護カバー６０の第１側片６１によって、屋外側化粧板４３における当該第１側片６１に覆われている部分が挟持されるように、当該第２側面４３ｂの内側面と当接して配置されている。また、第３側片８３は、当該第３側片８３の幅が屋外側化粧板４３の第３側面４３ｃの幅と略同一となるように形成されており、当該第３側片８３及び保護カバー６０の第２側片６２によって、屋外側化粧板４３における当該第２側片６２に覆われている部分が挟持されるように、当該第３側面４３ｃの内側面と当接して配置されている。
【００５６】
（構成−召し合せ部−第２枠部）
第２枠部９０は、屋外側化粧板４３、屋内側化粧板４４のうち、戸先側パネル体４０ａの空間部のうち、召し合せ部４１以外の空間部４２（以下、「本体部４２」と称する）を覆っている部分を補強するためのものである。図４、図５に示すように、この第２枠部９０は、本体部４２に設けられており、屋外側化粧板４３、屋内側化粧板４４の内側面のうち、少なくとも本体部４２における建物の外側に位置する内側面と当接するように配置され、当該化粧板４３に対して接着剤により固定されている。また、この第２枠部９０は、当該第２枠部９０が、屋外側化粧板４３、屋内側化粧板４４の側面のうち、少なくとも本体部４２における建物の外側に位置する側面に略沿うように、第１側片９１と、第２側片９２と、第３側片９３と、第４側片９４と、第５側片９５とから、水平断面による断面形状が略コ字状となるように形成されていると共に、屋外側化粧板４３（又は屋内側化粧板４４）の上下方向の全長（又は全長よりも若干短い長さ）にわたって形成されている。
【００５７】
ここで、第２枠部９０の各部のうち、第１側片９１は、当該第１側片９１の幅が第１枠部８０の第１側片８１における扉１の戸尻側の端部からコア４５における扉１の戸先側の端部に至る長さＬ４と略同一の長さとなるように形成されており、屋外側化粧板４３の本体部４２における建物の外側に位置する内側面と当接するように配置されている。また、第２側片９２は、当該第２側片９２の幅が召し合せ部４１における先端側の部分の前後方向の長さＬ１と略同一となるように形成されており、第１側片９１における扉１の戸先側の端部から建物の内側に向けて突出するように配置されている。また、第３側片９３は、当該第３側片９３の幅が第２側片９２における建物の内側の端部から保護カバー６０の第３側片６３における建物の外側の端部に至る長さＬ５と略同一となるように形成されており、第２側片９２における建物の内側の端部から戸先側縦枠１１に向けて突出するように配置されている。また、第４側片９４は、当該第４側片９４の幅が保護カバー６０の第３側片６３における建物の外側の端部から本体部４２における建物の内側の端部に至る長さＬ６と略同一となるように形成されており、当該第４側片９４及び保護カバー６０の第３側片６３によって、屋内側化粧板４４における当該第３側片６３に覆われている部分が挟持されるように、当該部分の内側面と当接して配置されている。また、第５側片９５は、当該第５側片９５の幅が第２枠部９０の第４側片９４からコア４５における扉１の戸先側の端部に至る長さＬ７と略同一となるように形成されており、屋内側化粧板４４の本体部４２における建物の内側に位置する内側面と当接するように配置されている。
【００５８】
なお、この枠材７０は、任意の方法や材質で製造することができる。例えば、スチール製の板状体を折り曲げ成形することにより、第１枠部８０と第２枠部９０とをそれぞれ形成した後に、これら第１枠部８０及び第２枠部９０を相互に溶接等することで製造してもよい。
【００５９】
以上のような枠材７０の構成により、当該枠材７０によって、屋外側化粧板４３の強度を向上させることができるため、扉体２０の耐久性を向上させることが可能となる。特に、屋外側化粧板４３のうち、少なくとも召し合せ部４１の先端側の一部が保護カバー６０と枠材７０とで挟持されているので（具体的には、上述したように、屋外側化粧板４３における保護カバー６０の第１側片６１に覆われている部分が、第１枠部８０の第２側片８２と当該第１側片６１とで挟持されているので）、屋外側化粧板４３のうち、少なくとも召し合せ部４１の先端側の一部が枠材７０から剥がれることを低減でき、扉体２０の耐久性を一層向上させることが可能となる。
【００６０】
（構成−召し合せ部−保護カバーの取付構造）
また、上述した保護カバー６０の取付構造については、以下に示す工夫が施されている。
【００６１】
まず、保護カバー６０の取り付け及び取り外しが容易となる取付構造が採用されている。具体的には、図４、図５に示すように、戸先側パネル体４０ａが、本体部４２における扉１の戸先側の部分のうち、保護カバー６０によって覆われている部分に形成された凹部１００を備えていると共に、保護カバー６０には、第１凸部１０１（凸部）が設けられている。そして、第１凸部１０１が、凹部１００に嵌合されている。
【００６２】
このうち、凹部１００は、第１凸部１０１と嵌合可能なものである。この凹部１００は、戸先側パネル体４０ａの第２枠部９０に設けられており（なお、実施の形態では、屋内側化粧板４４に覆われていない部分に設けられているものとする）、水平断面による断面形状が、扉１の戸尻側に向けて突出する略コ字状（又は略Ｃ字状）にて形成されていると共に、第２枠部９０の第４側片９４における建物の外側の端部近傍において、当該第４側片９４の上下方向の全長にわたって形成されている。また、この凹部１００の深さ（すなわち、凹部１００の左右方向の長さ）については、具体的には、当該凹部１００の内部に第１凸部１０１全体を収めることができるように、第１凸部１０１の突出長さ以上の長さに設定されている。また、第１凸部１０１は、扉１の戸尻側に向けて突出するものである。この第１凸部１０１は、保護カバー６０の第３側片６３における建物の外側の端部において、当該第３側片６３の上下方向全長にわたって形成されている。また、これら凹部１００及び第１凸部１０１の形成位置については、上述したように、凹部１００が第２枠部９０の第４側片９４における建物の外側の端部近傍に形成され、第１凸部１０１が保護カバー６０の第３側片６３における建物の外側の端部に形成されることに限られず、例えば、凹部１００が第１枠部８０の第３側片９３における扉１の戸尻側の端部近傍に形成され、第１凸部１０１が保護カバー６０の第２側片６２における凹部１００と対向する部分に形成されてもよい。
【００６３】
このような取付構造により、取付具等の他の部材を用いることなく、第１凸部１０１及び凹部１００による嵌合によって、保護カバー６０を戸先側パネル体４０ａに対して簡易に取り付けることができるので、保護カバー６０の設置性を向上させることが可能となる。また、特に、戸先側パネル体４０ａには、召し合せ部４１に加えて、凹部１００も配置されているので、これら召し合せ部４１及び凹部１００を戸先側パネル体４０ａに集約することができるので、例えば、戸先側パネル体４０ａに召し合せ部４１を配置し、扉体本体３０に凹部１００を配置した場合に比べて、扉体２０の製造性を向上させることが可能となる。
【００６４】
また、保護カバー６０の第３側片６３を扉体本体３０及び戸先側パネル体４０ａに対して強固に取り付けることが可能な取付構造が採用されている。具体的には、図４、図５に示すように、保護カバー６０には、第１凸部１０１とは異なる位置に配置された第２凸部１０２が設けられている。そして、第１凸部１０１及び第２凸部１０２に、扉体本体３０及び戸先側パネル体４０ａが挟持されている。
【００６５】
ここで、第２凸部１０２は、扉１の戸尻側に向けて突出するものである。この第２凸部１０２は、保護カバー６０の第３側片６３における建物の内側の端部において、当該第３側片６３の上下方向全長にわたって形成されており、扉体本体３０の屋内側化粧板３２と密着して当接するように配置されている。
【００６６】
このような取付構造により、第１凸部１０１及び第２凸部１０２によって扉体本体３０及び戸先側パネル体４０ａを挟持することで、保護カバー６０の第３側片６３を扉体本体３０及び戸先側パネル体４０ａに対して容易かつ強固に取り付けることができるため、保護カバー６０の設置性を一層向上させることが可能となる。
【００６７】
また、保護カバー６０の第３側片６３における幅が比較的長い場合でも、当該保護カバー６０を扉体本体３０及び戸先側パネル体４０ａに対して強固に取り付けることが可能な取付構造が採用されている。具体的には、図４、図５に示すように、保護カバー６０の第３側片６３が、当該第３側片６３の複数の挿通孔６４、及び扉体本体３０の戸先側縦枠材３１ａに形成された複数のネジ孔であって、複数の挿通孔６４に対応する位置にそれぞれ配置された複数のネジ孔（図示省略）を介して、当該戸先側縦枠材３１ａに対して皿ネジ１０３により固定されている。
【００６８】
このような取付構造により、保護カバー６０の第３側片６３における幅が比較的長い場合でも、保護カバー６０（特に、保護カバー６０の第３側片６３）を扉体本体３０及び戸先側パネル体４０ａに対して強固に取り付けることできるので、保護カバー６０の設置性をさらに一層向上させることが可能となる。
【００６９】
（構成−扉体の製造方法）
最後に、扉体２０の製造方法について説明する。
【００７０】
まず、扉体本体３０を公知の方法で製造する。次に、戸先側パネル体４０ａを製造するために、以下の工程を行う。まず、扉体本体３０の屋外側化粧板３３が上向きとなるように、当該扉体本体３０を組立台（図示省略）の上面に載置する。次に、屋内側化粧板４４の内面が上向きとなるように、この屋内側化粧板４４を屋外側化粧板３３の外面における所定の固定位置に載置した後、この屋内側化粧板４４をこの屋外側化粧板３３に対してリベットによって固定する。次に、この屋内側化粧板４４の各側面のうち、コア４５及び枠材７０に対して当接する面に接着剤を塗布した後、これらコア４５及び枠材７０をそれぞれ屋内側化粧板４４の内面における所定の固定位置に載置することにより、これらコア４５及び枠材７０を屋内側化粧板４４に固定する。そして、屋外側化粧板４３の各側面のうち、コア４５及び枠材７０に対して当接する面に接着剤を塗布した後、この塗布面を下側にして屋外側化粧板４３をコア４５及び枠材７０に対して載置することにより、屋外側化粧板４３をコア４５及び枠材７０に固定する。次いで、戸尻側パネル体４０ｂを、戸先側パネル体４０ａと同様の方法により製造する（ただし、枠材７０の固定は省略する）。
【００７１】
次に、保護カバー６０を扉体本体３０及び戸先側パネル体４０ａに対して取り付けるために、以下の工程を行う。まず、保護カバー６０に形成された第１凸部１０１及び第２凸部１０２を扉体本体３０及び戸先側パネル体４０ａと対向させて、この第１凸部１０１を戸先側パネル体４０ａに形成された凹部１００に嵌合すると共に、これら第１凸部１０１及び第２凸部１０２で扉体本体３０及び戸先側パネル体４０ａを挟持できるように、保護カバー６０を扉１の戸尻側に向けて移動させる。そして、第１凸部１０１が凹部１００に嵌合されると共に、第１凸部１０１及び第２凸部１０２で扉体本体３０及び戸先側パネル体４０ａが挟持された後、保護カバー６０を、当該保護カバー６０の第３側片６３における複数の挿通孔６４及び扉体本体３０の戸先側縦枠材３１ａに形成された複数のネジ孔を介して、当該戸先側縦枠材３１ａに対して皿ネジ１０３により固定する。なお、保護カバー６０を扉体本体３０及び戸先側パネル体４０ａから取り外す場合には、扉体２０に取り付けられた保護カバー６０を固定している皿ネジ１０３をすべて取り外した後に、この保護カバー６０を引き抜くように移動させることで、保護カバー６０を取り外すことができる。
【００７２】
（実施の形態の効果）
このように実施の形態によれば、戸先側パネル体４０ａのうち、少なくとも召し合せ部４１における建物の外側の一部及び召し合せ部４１の先端側の一部を覆う屋外側化粧板４３と、この屋外側化粧板４３の側面のうち、少なくとも召し合せ部４１の先端側に位置する側面の一部を覆うことができ、且つ、当該召し合せ部４１よりも建物の外側に突出しないように形成された保護カバー６０とを備えたので、召し合せ部４１の先端側の部分が屋外側化粧板４３に覆われることに加えて、さらに屋外側化粧板４３が保護カバー６０によって覆われることになるため、この召し合せ部４１の先端側の部分が人や物に接触した場合には、保護カバー６０が屋外側化粧板４３よりも先に損傷することになる。よって、例えば、屋外側化粧板４３が健全な状態であるものの、保護カバー６０のみが損傷している場合には、屋外側化粧板４３を交換することなく、保護カバー６０を交換するだけで当該損傷の修理を行うことができるので、召し合せ部４１の先端側の部分が屋外側化粧板４３のみによって覆われている場合に比べて、召し合せ部４１の損傷に関する修理に要する手間を低減することが可能となる。また、扉体２０を全閉位置に位置させた状態において、保護カバー６０が召し合せ部４１よりも建物の外側に突出しないので、保護カバー６０の建物の外側への露出を抑えることでき、扉１の意匠性を維持することが可能となる。
【００７３】
また、戸先側パネル体４０ａのうち、少なくとも召し合せ部４１に設けられた枠材７０であって、屋外側化粧板４３の内側面のうち、少なくとも当該召し合せ部４１の先端側に位置する内側面と当接するように配置された枠材７０を備えたので、この枠材７０によって、屋外側化粧板４３の強度を向上させることができるため、扉体２０の耐久性を向上させることが可能となる。
【００７４】
また、戸先側パネル体４０ａの屋外側化粧板４３のうち、少なくとも召し合せ部４１の先端側の一部を、保護カバー６０と枠材７０とで挟持したので、この屋外側化粧板４３のうち、少なくとも召し合せ部４１の先端側の一部が枠材７０から剥がれることを低減でき、扉体２０の耐久性を一層向上させることが可能となる。
【００７５】
また、戸先側パネル体４０ａの屋外側化粧板４３が、扉体２０における建物の外側に位置する平面状の側面である第１側面４３ａと、召し合せ部４１の先端側に位置する平面状の側面である第２側面４３ｂと、召し合せ部４１における建物の内側に位置する平面状の側面である第３側面４３ｃとを有するように、当該屋外側化粧板４３を折り曲げたので、例えば、屋外側化粧板４３が第１側面４３ａ及び第３側面４３ｃのみを有するように、当該屋外側化粧板４３が１８０度で折り曲げられた場合と比べて、屋外側化粧板４３の折り曲げ角度を低くすることができる。よって、屋外側化粧板４３を１８０度で折り曲げた場合と比べて、屋外側化粧板４３の塗膜の耐久性を向上させることができる。
【００７６】
また、保護カバー６０に設けられた第１凸部１０１を、戸先側パネル体４０ａにおける扉１の戸先側の部分に形成された凹部１００に嵌合させたので、取付具等の他の部材を用いることなく、保護カバー６０を戸先側パネル体４０ａに対して簡易に取り付けることができるので、保護カバー６０の設置性を向上させることが可能となる。
【００７７】
また、扉体２０は、扉体本体３０と、扉体本体３０よりも建物の外側に配置された戸先側パネル体４０ａと、を備え、戸先側パネル体４０ａにおける扉１の戸先側の部分に、召し合せ部４１と凹部１００を配置したので、これら召し合せ部４１及び凹部１００を戸先側パネル体４０ａに集約することができるので、例えば、戸先側パネル体４０ａに召し合せ部４１を配置し、扉体本体３０に凹部１００を配置した場合に比べて、扉体２０の製造性を向上させることが可能となる。
【００７８】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、召し合せ部４１の損傷に関する修理に要する手間が、従来と同程度であっても、従来と異なる構造により従来と同程度の手間となっている場合には、本願の課題は解決している。
【００８０】
（扉体について）
上記実施の形態では、扉体２０は、扉体本体３０と、パネル体４０ａ、４０ｂとを備えていると説明したが、これに限られず、例えばパネル体４０ａ、４０ｂを省略してもよい。この場合には、召し合せ部４１、凹部１００、及び枠材７０が扉体本体３０に配置される。また、この枠材７０の形成については、扉体本体３０の戸先側縦枠材３１ａと一体に形成されてもよく、あるいは、扉体本体３０の戸先側縦枠材３１ａと別体に形成されてもよい。
【００８１】
（保護カバーについて）
上記実施の形態では、保護カバー６０は、戸先側パネル体４０ａにおける扉１の戸先側の少なくとも一部や扉体本体３０における扉１の戸先側の少なくとも一部を覆うものであると説明したが、これに限られず、例えば、戸先側パネル体４０ａにおける扉１の戸先側の少なくとも一部のみを覆うものであってもよい。この場合には、保護カバー６０は、第２凸部１０２を省略してもよく、あるいは、第２凸部１０２及び第３側片６３を省略してもよい。
【００８２】
また、上記実施の形態では、第１側片６１の幅が戸先側パネル体４０ａの召し合せ部４１における先端側の部分の前後方向の長さＬ１よりも短く設定されていると説明したが、これに限られない。例えば、第１側片６１における建物の外側の端部が、戸先側パネル体４０ａにおける建物の外側の側面と面一となるように、当該第１側片６１の幅が召し合せ部４１における先端側の部分の前後方向の長さＬ１と略同一に設定されてもよい。
【００８３】
（凹部及び第１凸部について）
上記実施の形態では、戸先側パネル体４０ａが凹部１００を備えていると共に、保護カバー６０には、第１凸部１０１が設けられていると説明したが、これに限られず、例えば、戸先側パネル体４０ａが第１凸部１０１を備えていると共に、保護カバー６０には、凹部１００が設けられてもよい。あるいは、これら凹部１００及び第１凸部１０１を省略してもよい。
【００８４】
また、上記実施の形態では、凹部１００が第２枠部９０の第４側片９４に形成され、第１凸部１０１が保護カバー６０の第３側片６３に形成されると説明したが、これに限られない。例えば、凹部１００が第１枠部８０の第３側片８３に形成され、第１凸部１０１が保護カバー６０の第２側片６２に形成されてもよい。あるいは、凹部１００が扉体本体３０の戸先側縦枠材３１ａに形成され、第１凸部１０１が保護カバー６０の第３側片６３に形成されてもよい。
【００８５】
また、上記実施の形態では、凹部１００及び第１凸部１０１がそれぞれ１つ設置されていると説明したが、例えば、凹部１００及び第１凸部１０１がそれぞれ複数設置されてもよい。
【００８６】
（召し合せ部及び凹部の配置について）
上記実施の形態では、召し合せ部４１及び凹部１００が、戸先側パネル体４０ａに配置されていると説明したが、これに限られない。例えば、戸先側パネル体４０ａに召し合せ部４１を配置し、扉体本体３０に凹部１００を配置してもよい。
【００８７】
（付記）
付記１の扉体は、建物の開口部に設けられる扉を構成する扉体であって、当該扉体における前記扉の戸先側の部分のうち、前記開口部よりも前記建物の外側に位置する部分に形成された召し合せ部であって、当該扉体によって前記開口部が閉鎖されている場合に、当該扉体と当該開口部との相互間の隙間を覆うための召し合せ部と、当該扉体のうち、少なくとも前記建物の外側の一部及び前記召し合せ部の先端側の一部を覆う化粧板と、前記化粧板の側面のうち、少なくとも前記召し合せ部の先端側に位置する側面の一部を覆うことができ、且つ、当該召し合せ部よりも前記建物の外側に突出しないように形成されたカバー手段と、を備えている。
【００８８】
付記２の扉体は、付記１に記載の扉体において、当該扉体のうち、少なくとも前記召し合せ部に設けられた枠材であって、前記化粧板の内側面のうち、少なくとも当該召し合せ部の先端側に位置する内側面と当接するように配置された枠材を備えた。
【００８９】
付記３の扉体は、付記２に記載の扉体において、前記化粧板のうち、少なくとも前記召し合せ部の先端側の一部を、前記カバー手段と前記枠材とで挟持した。
【００９０】
付記４の扉体は、付記１から３のいずれか一項に記載の扉体において、前記化粧板が、当該扉体における前記建物の外側に位置する平面状の側面と、前記召し合せ部の先端側に位置する平面状の側面と、前記召し合せ部における前記建物の内側に位置する平面状の側面とを有するように、当該化粧板を折り曲げた。
【００９１】
付記５の扉体は、付記１から４のいずれか一項に記載の扉体において、当該扉体における前記扉の戸先側の部分のうち、前記カバー手段によって覆われている部分に形成された凹部を備え、前記カバー手段には、前記凹部に対向するように配置された凸部であって、前記扉の戸尻側に向けて突出した凸部を設け、前記凸部を、前記凹部に嵌合させた。
【００９２】
付記６の扉体は、付記５に記載の扉体において、前記扉体は、扉体本体と、前記扉体本体よりも前記建物の外側に配置されたパネル体と、を備え、前記パネル体における前記扉の戸先側の部分に、前記召し合せ部と前記凹部を配置した。
【００９３】
（付記の効果）
付記１の扉体によれば、当該扉体のうち、少なくとも建物の外側の一部及び召し合せ部の先端側の一部を覆う化粧板と、化粧板の側面のうち、少なくとも召し合せ部の先端側に位置する側面の一部を覆うことができ、且つ、当該召し合せ部よりも建物の外側に突出しないように形成されたカバー手段とを備えたので、召し合せ部の先端側の部分が化粧板に覆われることに加えて、さらに化粧板がカバー手段によって覆われることになるため、この召し合せ部の先端側の部分が人や物に接触した場合には、カバー手段が化粧板よりも先に損傷することになる。よって、例えば、化粧板が健全な状態であるものの、カバー手段のみが損傷している場合には、化粧板を交換することなく、カバー手段を交換するだけで当該損傷の修理を行うことができるので、召し合せ部の先端側の部分が化粧板のみによって覆われている場合に比べて、召し合せ部の損傷に関する修理に要する手間を低減することが可能となる。また、扉体を全閉位置に位置させた状態において、カバー手段が召し合せ部よりも建物の外側に突出しないので、カバー手段の建物の外側への露出を抑えることでき、扉の意匠性を維持することが可能となる。
【００９４】
付記２の扉体によれば、当該扉体のうち、少なくとも召し合せ部に設けられた枠材であって、化粧板の内側面のうち、少なくとも当該召し合せ部の先端側に位置する内側面と当接するように配置された枠材を備えたので、この枠材によって、化粧板の強度を向上させることができるため、扉体の耐久性を向上させることが可能となる。
【００９５】
付記３に記載の扉体によれば、化粧板のうち、少なくとも召し合せ部の先端側の一部を、カバー手段と枠材とで挟持したので、化粧板のうち、少なくとも召し合せ部の先端側の一部が枠材から剥がれることを低減でき、扉体の耐久性を一層向上させることが可能となる。
【００９６】
付記４に記載の扉体によれば、化粧板が、当該扉体における建物の外側に位置する平面状の側面と、召し合せ部の先端側に位置する平面状の側面と、召し合せ部における建物の内側に位置する平面状の側面とを有するように、当該化粧板を折り曲げたので、例えば、化粧板が、当該扉体における建物の外側に位置する平面状の側面と、召し合せ部における建物の内側に位置する平面状の側面とのみを有するように、当該化粧板が１８０度で折り曲げられた場合と比べて、化粧板の折り曲げ角度を低くすることができる。よって、化粧板を１８０度で折り曲げた場合と比べて、化粧板の塗膜の耐久性を向上させることができる。
【００９７】
付記５に記載の扉体によれば、カバー手段に設けられた凸部を、当該扉体における扉の戸先側の部分に形成された凹部に嵌合させたので、取付具等の他の部材を用いることなく、カバー手段を設置対象に対して簡易に取り付けることができるので、カバー手段の設置性を向上させることが可能となる。
【００９８】
付記６に記載の扉体によれば、扉体は、扉体本体と、扉体本体よりも建物の外側に配置されたパネル体と、を備え、パネル体における扉の戸先側の部分に、召し合せ部と凹部を配置したので、これら召し合せ部及び凹部をパネル体に集約することができるので、例えば、パネル体に召し合せ部を配置し、扉体本体に凹部を配置した場合に比べて、扉体の製造性を向上させることが可能となる。
【符号の説明】
【００９９】
１  扉
２  躯体
３  開口部
１０  枠体
１１  縦枠（戸先側縦枠）
１２  縦枠（戸尻側縦枠）
１３  横枠（上側横枠）
１４  横枠（下側横枠）
１５  戸当たり部
１６  枠化粧材（戸先側枠化粧材）
１７  枠化粧材（戸尻側枠化粧材）
１８  枠化粧材（上側枠化粧材）
２０  扉体
３０  扉体本体
３１  扉枠
３１ａ  縦枠材（戸先側縦枠材）
３１ｂ  縦枠材（戸尻側縦枠材）
３１ｃ  枠材
３１ｆ  扉窓
３１ｇ  複層ガラス
３１ｈ  開口部
３１ｉ  扉窓枠
３２  化粧板（屋内側化粧板）
３３  化粧板（屋外側化粧板）
３４  断熱材
３５  把手
３６  ドアクローザ
４０ａ  パネル体（戸先側パネル体）
４０ｂ  パネル体（戸尻側パネル体）
４１  召し合せ部
４２  本体部
４３  化粧板（屋外側化粧板）
４３ａ  第１側面
４３ｂ  第２側面
４３ｃ  第３側面
４４  化粧板（屋内側化粧板）
４５  コア
５０  丁番
６０  保護カバー
６１  第１側片
６２  第２側片
６３  第３側片
６４  挿通孔
６５  第１開口部
６６  第２開口部
７０  枠材
８０  第１枠部
８１  第１側片
８２  第２側片
８３  第３側片
９０  第２枠部
９１  第１側片
９２  第２側片
９３  第３側片
９４  第４側片
９５  第５側片
１００  凹部
１０１  第１凸部
１０２  第２凸部
１０３  皿ネジ
Ｌ１  召し合せ部における先端側の部分の前後方向の長さ
Ｌ２  召し合せ部における建物の内側の部分の左右方向の長さ
Ｌ３  召し合せ部における建物の内側の端部から扉体本体における建物の内側の端部に至る長さ
Ｌ４  第１枠部の第１側片における扉の戸尻側の端部からコアにおける扉の戸先側の端部に至る長さ
Ｌ５  第２枠部の第２側片における建物の内側の端部から保護カバーの第３側片における建物の外側の端部に至る長さ
Ｌ６  保護カバーの第３側片における建物の外側の端部から本体部における建物の内側の端部に至る長さ
Ｌ７  第２枠部の第４側片からコアにおける扉の戸先側の端部に至る長さ
【図１】
0006444722.tif 000002
【図２】
0006444722.tif 000003
【図３】
0006444722.tif 000004
【図４】
0006444722.tif 000005
【図５】
0006444722.tif 000006
【図６】
0006444722.tif 000007